(57)【要約】【課題】容易に、且つ、コンパクトに折り畳むことができ、収納及び輸送に便利なハンガーラックの折り畳み構造を提供すること。【解決手段】ハンガーラック本体１０が第１座体１１と、第２座体１２と、第１座体１１、第２座体１２の間に架設された連結横棒１３を備え、第１座体１１に枢着座体２０が設けられ、第２座体１２に連結座体３０が設けられ、連結座体３０は、２つの細長穿孔３１に２つのつまみ３２を組み合わせて成る取付部を介して第２座体１２の底側に取り付けられ、連結座体３０と第２座体１２の相対位置は微調整可能であり、枢着座体２０と連結座体３０は内側に向かって突出する２つの軸支プレート２１，３３を備え、連結横棒１３と軸支プレート２１及び軸支プレート３３とがそれぞれ回動可能に連結されて、第１座体１１、第２座体１２が連結横棒１３の両端部に軸着される。【選択図】図２
0003198330.tif 000002
【実用新案登録請求の範囲】
【請求項１】
ハンガーラックの折り畳み構造であって、ハンガーラック本体を含み、前記ハンガーラック本体が第１座体と、第２座体と、第１座体、第２座体の間に架設されて軸着された連結横棒を備え、前記第１座体の底側中央箇所に枢着座体が設けられ、該枢着座体に対応して前記第２座体の底側に連結座体が設けられ、前記連結座体は、２つの細長穿孔に２つのつまみを組み合わせて成る取付部を介して前記第２座体の底側に取り付けられ、前記つまみに対して前記細長穿孔を摺動させることにより、前記連結座体と前記第２座体の相対位置をずらせて微調整可能であり、前記枢着座体と前記連結座体はいずれも内側に向かって突出する２つの軸支プレートを備え、前記連結横棒と前記枢着座体の２つの軸支プレート、及び前記連結横棒と前記連結座体の２つの軸支プレートがそれぞれ回動可能に連結されて、前記第１座体、前記第２座体が前記連結横棒の２つの端部に軸着されたことを特徴とする、ハンガーラックの折り畳み構造。
【請求項２】
前記第１座体、前記第２座体にそれぞれホイールが設置されたことを特徴とする、請求項１に記載のハンガーラックの折り畳み構造。
【請求項３】
前記第１座体、前記第２座体にそれぞれ支柱が立設され、前記支柱間に衣類を吊り下げたり、干したりするために用いる横架棒が連結されたことを特徴とする、請求項１に記載のハンガーラックの折り畳み構造。
【考案の詳細な説明】
【技術分野】
【０００１】
本考案は、折り畳んで容積を大幅に減少できるハンガーラックの折り畳み構造に関する。
【背景技術】
【０００２】
一般的なハンガーラックは、その本体全体が工字形を呈し、下方に支持座体を形成し、上方に平行支持棒を形成して、２つの平行支持棒間が複数の上横棒で結合されており、使用時に支持座体を利用してしっかりと床面上に立たせ、平行支持棒の支持を利用して衣類を上横棒上に掛けたり、干したりすることができるようになっている。
しかしながら、上述した従来のハンガーラックは、使用しないときに、折り畳んだり、分解したりしにくく、ハンガーラックの体積を効果的に減少できないため、室内空間を占用し、収納に不便であるという問題があり、ただでさえ不足しがちな居住空間がより狭くなるため、実用性を備えていない。
【考案の概要】
【考案が解決しようとする課題】
【０００３】
本考案が解決しようとする課題は、上述の問題を解決し、容易に、且つ、コンパクトに折り畳むことができ、収納及び輸送に便利なハンガーラックの折り畳み構造を提供することにある。
【課題を解決するための手段】
【０００４】
本考案のハンガーラックの折り畳み構造は、ハンガーラック本体を含み、前記ハンガーラック本体が第１座体と、第２座体と、第１座体、第２座体の間に架設されて軸着された連結横棒とを備え、前記第１座体の底側中央箇所に枢着座体が設けられ、該枢着座体に対応して前記第２座体の底側に連結座体が設けられ、前記連結座体は、２つの細長穿孔に２つのつまみを組み合わせて成る取付部を介して前記第２座体の底側に取り付けられ、前記つまみに対して前記細長穿孔を摺動させることにより、前記連結座体と前記第２座体の相対位置をずらせて微調整可能であり、前記枢着座体と前記連結座体はいずれも内側に向かって突出する２つの軸支プレートを備え、前記連結横棒と前記枢着座体の２つの軸支プレート、及び前記連結横棒と前記連結座体の２つの軸支プレートがそれぞれ回動可能に連結されて、前記第１座体、前記第２座体が前記連結横棒の２つの端部に軸着されている。
【０００５】
前記第１座体、前記第２座体にそれぞれホイールを設置すると良い。
前記第１座体、前記第２座体にそれぞれ支柱が立設され、前記支柱間に衣類を吊り下げたり、干したりするために用いる横架棒が連結される。
【考案の効果】
【０００６】
本考案によれば、ハンガーラック本体の第１座体、第２座体が枢着座体及び連結座体によりそれぞれ連結横棒端部に枢着されており、枢着座体及び連結座体を利用して連結横棒に対して枢動させることができるため、第１座体、第２座体を折り畳むだけで、ハンガーラック本体の体積を減少することができ、収納に便利なだけでなく、構造の使用上の実用性を高めるとともに、包装容積を効果的に減少できるため、積載量を増加して輸送コストを減少させる経済的効果も備えている。
【図面の簡単な説明】
【０００７】
【図１】本考案の実施例に係るハンガーラックの斜視図である。
【図２】本考案の実施例に係るハンガーラック本体の要部分解斜視図である。
【図３】本考案の実施例に係るハンガーラック本体の底面図である。
【図４】本考案の実施例に係るハンガーラック本体の第２座体をずらした状態における底面図である。
【図５】本考案の実施例に係るハンガーラック本体の第１座体、第２座体と共に支柱を折り畳む動作を示す斜視図である。
【図６】本考案の実施例に係るハンガーラック本体の折り畳み状態における斜視図である。
【考案を実施するための形態】
【０００８】
以下、本考案の実施例を図面に基づいて詳細に説明する。
図１、図２、図３に示すように、本考案のハンガーラックの折り畳み構造は、ハンガーラック本体１０を含む。
ハンガーラック本体１０は、互いに平行な一対の第１座体１１及び第２座体１２を備え、第１座体１１と第２座体１２との間に連結横棒１３が架設されて軸着される。
【０００９】
第１座体１１の底側中央箇所に枢着座体２０が設けられ、これに対応して第２座体１２の底側に連結座体３０が設けられる。図２に示すように、連結座体３０は、第２座体１２の長手方向に長い２つの細長穿孔３１と、２つのつまみ３２とを組み合わせて成る取付部を有し、この取付部を介して第２座体１２の底側に取り付けられる。つまみ３２は、それぞれ細長穿孔３１に挿通されて第２座体１２に螺合されるネジを有し、細長穿孔３１をつまみ３２に対して摺動させることにより、連結座体３０と第２座体１２の相対位置をずらせて微調整できるようになっている。
【００１０】
枢着座体２０と連結座体３０はいずれも内側に向かって突出するように延伸された２つの軸支プレート２１、３３を備える。そして、図３に示すように、枢着座体２０の２つの軸支プレート２１間に連結横棒１３の一端部を挿入すると共に、連結横棒１３の一端部及び２つの軸支プレート２１に連結軸棒２２を通し、連結座体３０の２つの軸支プレート３３間に連結横棒１３の他端部を挿入すると共に、連結横棒１３の他端部及び２つの軸支プレート３３に連結軸棒３４を通すことにより、連結横棒１３と枢着座体２０の軸支プレート２１及び連結座体３０の軸支プレート３３とが回動可能に連結されて、第１座体１１、第２座体１２が連結横棒１３の２つの端部に軸着され、ハンガーラックの折り畳み構造が完成される。
【００１１】
図１に示すように、ハンガーラック本体１０の第１座体１１、第２座体１２間に連結横棒１３が連結されて、ハンガーラック本体１０の底部がＨ字形の座体を形成し、安定した状態で床面上に立たせることができる。
かつ第１座体１１、第２座体１２の底面にはいずれもホイール１１１、１２１が設置され、ハンガーラック本体１０の移動に利便性が提供される。
また、第１座体１１、第２座体１２の上面にそれぞれ支柱１１２、１２２が立設され、支柱１１２、１２２の間に横架棒１４が架設され、衣類を吊り下げたり、干したりするために用いることができる。
【００１２】
ハンガーラック本体１０を使用後に収納したいときは、まず第１座体１１、第２座体１２間の横架棒１４を取り外し、第２座体１２底部の２つのつまみ３２を緩め、図４に示すように、連結座体３０の２つの細長穿孔３１により第２座体１２を横にずらして動かし、第１座体１１、第２座体１２の支柱１１２、１２２を互い違いの状態にする。
その後、枢着座体２０と連結座体３０の連結軸棒２２、３４を緩めると、図５に示すように、連結軸棒２２、３４を中心として枢着座体２０と連結座体３０の両方を内側へ回転させ、これに連動して第１座体１１、第２座体１２を連結横棒１３の中央方向に折り畳み、同時に、図６に示すように、第１座体１１、第２座体１２に取り付けた支柱１１２、１２２を連結横棒１３上に重ね合わせる。
これにより、ハンガーラック本体１０の体積が大幅に減少し、便利に収納したり、重ねて置いたりすることができる。また、メーカーが製作、生産後に包装して出荷したいときも、包装容積を効果的に減少し、貨物の積載量を増加して、輸送コストを減少できるため、経済効果を発揮できる。
【００１３】
この実施例により、次のような効果が得られる。
ハンガーラック本体１０の第１座体１１、第２座体１２が枢着座体２０及び連結座体３０によりそれぞれ連結横棒１３の端部に枢着されており、枢着座体２０及び連結座体３０を利用して第１座体１１と第２座体１２を連結横棒１３に対して枢動させることができるため、第１座体１１及び第２座体１２を折り畳むだけで、ハンガーラック本体１０の体積を減少することができ、収納に便利なだけでなく、構造の使用上の実用性を高めるとともに、包装容積を効果的に減少できるため、積載量を増加して輸送コストを減少させる経済的効果も備えている。
【００１４】
以上は、本考案の実施例の説明であって、本考案の権利範囲を限定するものではなく、本考案の実用新案登録請求の範囲を逸脱しない変更や修飾はいずれも本考案の権利範囲に含まれる。
【符号の説明】
【００１５】
１０    ハンガーラック本体
１１    第１座体
１１１  ホイール
１１２  支柱
１２    第２座体
１２１  ホイール
１２２  支柱
１３    連結横棒
１４    横架棒
２０    枢着座体
２１    軸支プレート
２２    連結軸棒
３０    連結座体
３１    細長穿孔
３２    つまみ
３３    軸支プレート
３４    連結軸棒
【図１】
0003198330.tif 000003
【図２】
0003198330.tif 000004
【図３】
0003198330.tif 000005
【図４】
0003198330.tif 000006
【図５】
0003198330.tif 000007
【図６】
0003198330.tif 000008